(57)【要約】  【課題】  少数の操作キーを用いて複数の操作ができ、データの再生状態（再生速度）を利用者に容易に把握させることができるデータ再生装置を提供する。  【解決手段】  本発明に係るデータ再生装置は、モード指定キー１６ａにて画像データの再生が指定された場合、各再生速度に関連付けた複数の再生速度画像と、いずれかの再生速度画像を指示する矢印画像とを表示部１７に表示し、別の再生速度画像に対応する位置への矢印画像の移動を第１切換キー１６ｂ及び第２切換キー１６ｃにて受け付け、受け付けた矢印画像の移動に従って、矢印画像の位置を変更するとともに、矢印画像が指示する再生速度画像に関連付けられた再生速度で画像データを再生する。【選択図】        図１
2006092325.tif 000002
【特許請求の範囲】
【請求項１】
記憶媒体に記憶されたデータを複数の再生速度で再生するデータ再生装置において、
各再生速度に関連付けられ、選択可能な複数の再生速度画像及び再生速度画像の選択状態を表示する表示手段と、
再生速度画像の選択状態を切り換える切換手段と、
選択状態の再生速度画像に関連付けられた再生速度で前記データを再生する手段と
を備えることを特徴とするデータ再生装置。
【請求項２】
前記表示手段は、
前記複数の再生速度画像を列状に表示するようにしてあり、
前記切換手段は、
選択状態の再生速度画像の両隣に位置する再生速度画像をそれぞれ選択状態に切り換える２つの切換キーを備えること
を特徴とする請求項１に記載のデータ再生装置。
【請求項３】
前記表示手段は、
前記複数の再生速度画像を列状に表示するようにしてあり、
前記切換手段は、
選択状態の再生速度画像の隣に位置する再生速度画像を選択状態に切り換える切換キーを備え、
該切換キーは、一端の再生速度画像が選択状態になっている場合、他端側の再生速度画像を選択状態に切り換えるようにしてあること
を特徴とする請求項１に記載のデータ再生装置。
【請求項４】
前記切換手段は、
予め割当てられた再生速度に関連付けた再生速度画像を選択状態に切り換える割当キーを備えること
を特徴とする請求項１乃至請求項３のいずれか１つに記載のデータ再生装置。
【請求項５】
前記表示手段は、
前記再生速度画像の選択状態を、選択した再生速度画像を指示する指示画像によって表示するようにしてあること
を特徴とする請求項１乃至請求項４のいずれか１つに記載のデータ再生装置。
【請求項６】
前記データは画像データであり、
前記表示手段は、
前記複数の再生速度画像を、前記画像データの再生に係る画像の所定の位置に表示するようにしてあること
を特徴とする請求項１乃至請求項５のいずれか１つに記載のデータ再生装置。
【発明の詳細な説明】
【技術分野】
【０００１】
本発明は、少数の操作キーを用いて複数の操作ができ、複数の操作のうちのいずれの操作がなされているかを表示して利用者が容易に把握することができるデータ再生装置に関する。
【背景技術】
【０００２】
近年、ＣＣＤセンサ、ＣＭＯＳセンサなどの撮像素子を搭載したデジタルスチルカメラ、デジタルビデオカメラなどのデジタルカメラが普及している。デジタルカメラは、撮像素子によって光電変換されたアナログ形式の画像信号をデジタル形式に変換し、変換した信号を画像データとして記憶媒体に記憶する。近年では、撮像素子の性能、並びに、記憶媒体の記憶容量及びアクセス速度が向上し、いわゆる銀塩カメラと同様、連写撮影及び動画撮影が可能なデジタルカメラが実用化されている。また、ハードディスクを記憶媒体としてデジタルカメラに搭載すれば、大容量の画像を記憶することが可能となることから、ハードディスクを搭載したデジタルカメラ（ビデオカメラ）の開発が行われている（例えば、特許文献１参照。）。
【０００３】
上述したようなデジタルカメラ、並びにＤＶＤプレイヤー及びハードディスクプレイヤーのような画像を再生するデータ再生装置には、様々な機能が搭載されるようになってきており、それら機能を利用者が選択して実行できるように、多数の操作キーが備えられている。
【特許文献１】特開２００３−３０９７９７号公報
【発明の開示】
【発明が解決しようとする課題】
【０００４】
ところで、多数の操作キーがあれば、各操作キーがいずれの機能を選択するものであるかを覚える必要がある。しかしながら、頻繁に利用される機能は、画像の再生、静止、早送り、早戻し及びスロー再生であり、これら機能を少数の操作キーで操作することができるデータ再生装置の実現が要望されていた。また、現在の再生状態（再生速度）がいずれの状態であるかが分からなくなってしまう虞があり、利用者が現在の再生状態を容易かつ確実に把握することができるデータ再生装置の実現が要望されていた。
【０００５】
本発明は斯かる事情に鑑みてなされたものであり、各再生速度に関連付けられ、選択可能な複数の再生速度を示す再生速度画像と、複数の再生速度画像のうちのいずれかの再生速度画像の選択状態とを表示するとともに、再生速度画像の選択状態の切り換えを行って、選択状態の再生速度画像に関連付けられた再生速度でデータを再生する構成とすることにより、データの再生状態（再生速度）を利用者に容易に把握させることができるデータ再生装置の提供を目的とする。
【０００６】
また本発明は、各再生速度に関連付けた複数の再生速度を示す再生速度画像を列状に表示し、２つの切換キーで選択状態の再生速度画像の両隣に位置する再生速度画像をそれぞれ選択状態に切り換える構成とすることにより、２つの切換キーを用いて複数の操作を行うことができ、各切換キーにて選択状態の切り換えを受け付けた回数に応じて所望の再生速度でデータを再生することができるデータ再生装置の提供を目的とする。
【０００７】
また本発明は、各再生速度に関連付けた複数の再生速度を示す再生速度画像を列状に表示し、１つの切換キーで選択状態の再生速度画像の隣に位置する再生速度画像を選択状態に切り換え、一端の再生速度画像が選択状態になっている場合に、他端側の再生速度画像を選択状態に切り換える構成とすることにより、切換キーが１つであっても、切換キーにて選択状態の切り換えを受け付けた回数に応じて所望の再生速度でデータを再生することができるデータ再生装置の提供を目的とする。
【０００８】
また本発明は、予め割当てられた再生速度に関連付けた再生速度画像を選択状態に切り換える割当キーを備える構成とすることにより、いずれの再生速度画像が選択状態になっている場合であっても、予め割当てられた再生速度に関連付けた再生速度画像を選択状態に切り換えて、瞬時に予め割当てられた再生速度でデータを再生することができるデータ再生装置の提供を目的とする。
【０００９】
また本発明は、データが画像データである場合、複数の再生速度画像を画像データの再生に係る画像の所定の位置に表示する構成とすることにより、再生された画像を観賞しながら、データの再生状態を把握することができるデータ再生装置の提供を目的とする。
【課題を解決するための手段】
【００１０】
本発明に係るデータ再生装置は、記憶媒体に記憶されたデータを複数の再生速度で再生するデータ再生装置において、各再生速度に関連付けられ、選択可能な複数の再生速度画像及び再生速度画像の選択状態を表示する表示手段と、再生速度画像の選択状態を切り換える切換手段と、選択状態の再生速度画像に関連付けられた再生速度で前記データを再生する手段とを備えることを特徴とする。
【００１１】
本発明にあっては、記憶媒体に記憶されたデータを再生する場合に、各再生速度に関連付けられ、選択可能な複数の再生速度を示す再生速度画像と、そのいずれかの再生速度画像の選択状態とを表示するとともに、再生速度画像の選択状態の切り換えを行って、選択状態の再生速度画像に関連付けられた再生速度でデータを再生する。よって、利用者は、表示された再生速度画像の選択状態から、データの再生状態（再生速度）を容易に把握することができる。
【００１２】
本発明に係るデータ再生装置は、前記表示手段は、前記複数の再生速度画像を列状に表示するようにしてあり、前記切換手段は、選択状態の再生速度画像の両隣に位置する再生速度画像をそれぞれ選択状態に切り換える２つの切換キーを備えることを特徴とする。
【００１３】
本発明にあっては、各再生速度に関連付けた複数の再生速度を示す再生速度画像を列状に表示し、２つの切換キーで選択状態の再生速度画像の両隣に位置する再生速度画像をそれぞれ選択状態に切り換える。各切換キーによって、方向の異なる１つ隣の再生速度画像を選択状態にして、その再生速度画像に関連付けられた再生速度でデータを再生することができる。つまり、各切換キーにて切り換えを受け付けた回数に応じて所望の再生速度でデータを再生することができる。したがって、各切換キーにて選択状態の切り換えを受け付けた回数に応じて、所望の再生速度画像を選択状態にして、その再生速度画像に関連付けられた再生速度でデータを再生することができる。
【００１４】
本発明に係るデータ再生装置は、前記表示手段は、前記複数の再生速度画像を列状に表示するようにしてあり、前記切換手段は、選択状態の再生速度画像の隣に位置する再生速度画像を選択状態に切り換える切換キーを備え、該切換キーは、一端の再生速度画像が選択状態になっている場合、他端側の再生速度画像を選択状態に切り換えるようにしてあることを特徴とする。
【００１５】
本発明にあっては、各再生速度に関連付けた複数の再生速度を示す再生速度画像を列状に表示し、１つの切換キーで選択状態の再生速度画像の隣に位置する再生速度画像を選択状態に切り換える。また、一端の再生速度画像が選択状態になっている場合は、他端側の再生速度画像を選択状態に切り換える。切換キーが１つであっても、切換キーにて選択状態の切り換えを受け付けた回数に応じて所望の再生速度でデータを再生することができる。
【００１６】
本発明に係るデータ再生装置は、前記切換手段は、予め割当てられた再生速度に関連付けた再生速度画像を選択状態に切り換える割当キーを備えることを特徴とする。
【００１７】
本発明にあっては、予め割当てられた再生速度に関連付けた再生速度画像を選択状態に切り換える割当キーを備えることにより、いずれの再生速度画像が選択状態になっている場合であっても、予め割当てられた再生速度に関連付けた再生速度画像を選択状態に切り換えて、瞬時に予め割当てられた再生速度でデータを再生することができる。例えば、通常の再生速度を割当キーに割当てることにより、最も利用頻度が高い通常再生を瞬時に行うことができる。
【００１８】
本発明に係るデータ再生装置は、前記表示手段は、前記再生速度画像の選択状態を、選択した再生速度画像を指示する指示画像によって表示するようにしてあることを特徴とする。
【００１９】
本発明にあっては、再生速度画像の選択状態を、選択した再生速度画像を指示する指示画像によって表示する。指示画像によって指示された再生速度画像に関連付けられた再生速度で、データが再生されていることになるので、利用者は、指示画像が指示する再生速度画像によって、データの再生状態（再生速度）を容易かつ確実に把握することができる。
【００２０】
本発明に係るデータ再生装置は、前記データは画像データであり、前記表示手段は、前記複数の再生速度画像を、前記画像データの再生に係る画像の所定の位置に表示するようにしてあることを特徴とする。
【００２１】
本発明にあっては、データが画像データである場合、複数の再生速度画像を画像データの再生に係る画像の所定の位置に表示することにより、再生された画像を観賞しながら、現在の画像データの再生状態を把握することができる。
【発明の効果】
【００２２】
本発明によれば、各再生速度に関連付けられ、選択可能な複数の再生速度を示す再生速度画像と、複数の再生速度画像のうちのいずれかの再生速度画像の選択状態とを表示するとともに、再生速度画像の選択状態の切り換えを行って、選択状態の再生速度画像に関連付けられた再生速度でデータを再生する構成としたので、データの再生状態（再生速度）を利用者に容易に把握させることができる。
【００２３】
本発明によれば、各再生速度に関連付けた複数の再生速度を示す再生速度画像を列状に表示し、２つの切換キーで選択状態の再生速度画像の両隣に位置する再生速度画像をそれぞれ選択状態に切り換える構成としたので、２つの切換キーを用いて複数の操作を行うことができ、各切換キーにて選択状態の切り換えを受け付けた回数に応じて所望の再生速度でデータを再生することができる。
【００２４】
本発明によれば、各再生速度に関連付けた複数の再生速度を示す再生速度画像を列状に表示し、１つの切換キーで選択状態の再生速度画像の隣に位置する再生速度画像を選択状態に切り換え、一端の再生速度画像が選択状態になっている場合に、他端側の再生速度画像を選択状態に切り換える構成としたので、切換キーが１つであっても、切換キーにて選択状態の切り換えを受け付けた回数に応じて所望の再生速度でデータを再生することができる。
【００２５】
本発明によれば、予め割当てられた再生速度に関連付けた再生速度画像を選択状態に切り換える割当キーを備える構成としたので、いずれの再生速度画像が選択状態になっている場合であっても、予め割当てられた再生速度に関連付けた再生速度画像を選択状態に切り換えて、瞬時に予め割当てられた再生速度でデータを再生することができる。
【００２６】
本発明によれば、データが画像データである場合、複数の再生速度画像を画像データの再生に係る画像の所定の位置に表示する構成としたので、再生された画像を観賞しながら、データの再生状態を把握することができる等、優れた効果を奏する。
【発明を実施するための最良の形態】
【００２７】
（実施の形態１）
図１は、本発明の実施の形態１に係るデータ再生装置としてのデジタルカメラの構成を示すブロック図である。
【００２８】
デジタルカメラ１は、ＣＰＵで構成された制御部１０を備えている。制御部１０は、バスを介してＲＯＭ１１、ＲＡＭ１２、撮像部１３、信号処理部１４、記憶部１５、操作部１６、表示部１７及び出力部１８と接続され、これら各部を制御し、ＲＯＭ１１に予め格納されているコンピュータプログラムに従って種々の機能を実行し、各部と連携して又は単独で本発明における各種の手段として機能する。
【００２９】
ＲＡＭ１２は、制御部１０によるコンピュータプログラムの実行時に発生する一時的なデータを記憶するもので、例えばＤＲＡＭ、ＳＤＲＡＭなどにより構成される。撮像部１３は、ズームレンズ、フォーカスレンズ及び絞り（アイリス）、並びに、ズームレンズ、フォーカスレンズ、アイリスの状態を制御する各機構を駆動するモータからなるレンズユニットと、ＣＣＤ又はＣＭＯＳなどの撮像素子とから構成されており、入射される光を光電変換してアナログ形式の画像信号を生成する。
【００３０】
信号処理部１４は、ＡＤＣ（アナログ・デジタル・コンバータ）１４ａ，エンコーダ１４ｂと、デコーダ１４ｃ，ＤＡＣ（デジタル・アナログ・コンバータ）１４ｄを有している。ＡＤＣ１４ａは、撮像部１３にて生成されたアナログ形式の画像信号を、所定のサンプリング周波数でデジタル化してエンコーダ１４ｂへ出力する。エンコーダ１４ｂは、デジタル化された画像信号を所定形式（以下、ＭＰＥＧ形式とする）の画像データに符号化する。符号化された画像データは、記憶部１５に記憶される。なお、エンコード形式としては、ＤＶ圧縮形式、モーションＪＰＥＧ形式などであってもよく、その画像圧縮規格については限定されるものではない。
【００３１】
一方、記憶部１５に記憶されているＭＰＥＧ形式の画像データは、デコーダ１４ｃによって、画像信号に復号化してＤＡＣ１４ｄへ出力される。ＤＡＣ１４ｄは、画像信号をアナログ化して表示部１７へ出力し、表示部１７にて、画像信号に係る画像が表示される。また、ＤＡＣ１４ｄは、アナログ化した画像信号を出力部１８へ出力して、出力部１８に接続された液晶ディスプレイ又はＣＲＴディスプレイなどの表示機器５０に、画像信号に係る画像を表示することもできる。
【００３２】
操作部１６は、デジタルカメラ１を操作するためのファンクションキーとして、画像の撮像、又は記憶部１５に記憶されている画像データの再生のうちのいずれを行うかを指定するモード指定キー１６ａ、モード指定キーにて画像データの再生が指定され場合に、再生速度を制御する本発明に特徴的な第１切換キー１６ｂ及び第２切換キー１６ｃを備えている。
【００３３】
また、ＲＯＭ１１には、図２に示すように、最速逆サーチ、逆サーチ、逆再生、逆スロー、静止、正スロー、正再生（通常の再生）、正サーチ及び最速正サーチの各再生状態に対して、それぞれ、“１”，“２”，…，“９”の再生パラメータが関連付けられた再生速度データベースが記憶されている。各再生パラメータには、再生速度と矢印画像を表示する表示座標（以下、矢印座標という）の位置とが関連付けられており、再生パラメータによって、再生速度と矢印座標の位置とが一意に決定される。ここで、再生速度は、再生方向（正方向，逆方向）を含めた再生速度のことであり、例えば、通常再生は、再生方向が正方向で再生速度が１倍速であることから、再生速度を“＋１倍速”とし、最速逆サーチは、再生方向が逆方向で再生速度が２０倍速であることから、再生速度を“−２０倍速”と定義する。また、再生が静止している状態は、再生速度が“０倍速”であるとする。
【００３４】
制御部１０は、図３に示すように、モード指定キー１６ａにて画像データの再生が指定された場合、まず、正再生（通常の再生）処理を行って、処理がなされた画像３０を液晶モニタ又はＬＥＤモニタなどの表示部１７に表示する。また、制御部１０は、表示部１７の所定の位置（ここでは下部とする）に、各再生速度に関連付けた複数の再生速度画像（最速逆サーチを示す画像３１、逆サーチを示す画像３２、逆再生を示す画像３３、逆スローを示す画像３４、静止を示す画像３５、正スローを示す画像３６、正再生を示す画像３７、正サーチを示す画像３８及び最速正サーチを示す画像３９）を表示するとともに、現在の再生速度が上述のいずれであるかを示す矢印画像４０を該当する再生速度画像の下側に表示する。モード指定キー１６ａにて画像データの再生が指定された場合は、画像データの正再生処理を行うので、正再生を示す画像３７の下側に矢印画像４０を表示する。より正確には、複数の再生速度画像３１，３２，…，３９及び矢印画像４０を、再生する画像３０と合成して表示する。従って、利用者は再生された画像を観賞しながら、現在の画像の再生状態を容易かつ確実に把握することができる。
【００３５】
制御部１０は、別の再生速度画像に対応する位置へ矢印画像４０の移動を第１切換キー１６ｂ及び第２切換キー１６ｃにて受け付け、受け付けた矢印画像の移動に従って、矢印画像４０の位置を変更するとともに、矢印画像４０が指示する再生速度画像に関連付けられた再生速度で画像を再生する。
【００３６】
次に、デジタルカメラ１が行う動作を、フローチャートを用いて説明する。図４は、本発明の実施の形態１に係るデータ再生装置としてのデジタルカメラの動作手順を示すフローチャートである。なお、動作手順は一例であり、これに限るものではない。また、このような動作手順は、ＲＯＭ１１へ予めコンピュータプログラムを組み込んでおくことにより行うことができる。
【００３７】
制御部１０は、先ず、操作部１６にて再生対象の画像データの指定を受け付けた場合、再生パラメータを“７”に設定する（ステップＳ１）。そして、制御部１０は、ＲＯＭ１１に記憶されている再生速度データベース（図２参照）にアクセスし、設定した再生パラメータに対応する再生速度と矢印座標とを抽出する（ステップＳ２）。再生パラメータが“７”である場合は、再生速度が“＋１倍速”であり、矢印座標が座標（２００，６００）である。
【００３８】
制御部１０は、Ｓ２にて抽出した再生速度で画像データを再生する（ステップＳ３）とともに、Ｓ２にて抽出した矢印座標に矢印画像４０を表示する（ステップＳ４）。より具体的には、再生データをデコードした画像３０、再生速度画像３１，３２，…，３９、並びに矢印画像４０とを合成した合成画像を生成する。その生成の際の矢印画像４０の位置をＳ２にて抽出した矢印座標に従って決定する。
【００３９】
そして、制御部１０は、画像データの再生が終了したか否かを判定して（ステップＳ５）、画像データの再生が終了したと判定した場合（Ｓ５：ＹＥＳ）に処理を終了する。一方、Ｓ５において、画像データの再生が終了していないと判定した場合（Ｓ５：ＮＯ）、制御部１０は第１切換キー１６ｂが押下されたか否かを判定する（ステップＳ６）。Ｓ６において、第１切換キー１６ｂが押下されたと判定した場合（Ｓ６：ＹＥＳ）、制御部１０は、利用者によって画像データの再生速度の変更を受け付けたと認識する。第１切換キー１６ｂは、再生速度に係る再生パラメータの値を増加するように受け付ける手段であることから、制御部１０は、先ず、再生パラメータが最大値（ここでは“９”）であるか否かを判定する（ステップＳ７）。
【００４０】
Ｓ７において、再生パラメータが最大値でないと判定した場合（Ｓ７：ＮＯ）、制御部１０は、再生パラメータをインクリメントし（ステップＳ８）、処理をＳ２へ移行して再生パラメータに係る再生速度と矢印座標とを抽出して変更する。一方、Ｓ７において、再生パラメータが最大値であると判定した場合（Ｓ７：ＹＥＳ）、再生パラメータをインクリメントすることができないので、制御部１０は、再生パラメータをインクリメントすることなく、処理をＳ２へ移行する。
【００４１】
このようにして、第１切換キー１６ｂが押下され、その際の再生パラメータが最大値でない場合、その第１切換キー１６ｂの押下に従って、画像データの再生速度を変更することができるとともに、再生速度を示す再生速度画像を特定するように、矢印画像４０の矢印座標を変更することによって、画像データの再生状態（再生速度）を利用者に容易に把握させることができる。
【００４２】
一方、Ｓ６において、第１切換キー１６ｂが押下されていないと判定した場合（Ｓ６：ＮＯ）、制御部１０は第２切換キー１６ｃが押下されたか否かを判定する（ステップＳ９）。Ｓ９において、第２切換キー１６ｃが押下されたと判定した場合（Ｓ９：ＹＥＳ）、制御部１０は、利用者によって画像データの再生速度の変更を受け付けたと認識する。第２切換キー１６ｃは、再生速度に係る再生パラメータの値を減少するように受け付ける手段であることから、制御部１０は、先ず、再生パラメータが最小値（ここでは“１”）であるか否かを判定する（ステップＳ１０）。
【００４３】
Ｓ１０において、再生パラメータが最小値でないと判定した場合（Ｓ１０：ＮＯ）、制御部１０は、再生パラメータをデクリメントし（ステップＳ１１）、処理をＳ２へ移行して再生パラメータに係る再生速度と矢印座標とを抽出して変更する。一方、Ｓ１０において、再生パラメータが最小値であると判定した場合（Ｓ１０：ＹＥＳ）、再生パラメータをデクリメントすることができないので、制御部１０は、再生パラメータをデクリメントすることなく、処理をＳ２へ移行する。
【００４４】
また、Ｓ９において、第２切換キー１６ｃが押下されていないと判定した場合（Ｓ９：ＮＯ）、制御部１０は、利用者によって画像データの再生速度の変更を受け付けていないと認識して処理をＳ２へ移行する。
【００４５】
このようにして、第２切換キー１６ｃが押下され、その際の再生パラメータが最小値でない場合、その第２切換キー１６ｃの押下に従って、画像データの再生速度を変更することができるとともに、再生速度を示す再生速度画像を特定するように、矢印画像４０の矢印座標を変更することによって、画像データの再生状態（再生速度）を利用者に容易に把握させることができる。
【００４６】
なお、再生パラメータが最大値であるときに第１切換キー１６ｂが押下された場合、又は再生パラメータが最小値であるときに第２切換キー１６ｃが押下された場合、利用者が切換キーの操作を間違ったと推定できるので、各切換キーの押下に基づく処理が実行不可能である旨の警告を表示部１７に表示して、利用者に報知するようにしてもよい。
【００４７】
次に、利用者が操作部１６を操作することによって画像データの再生を行った場合の操作部１６の操作と、表示部１７に表示される画像との関係について説明する。図５は、再生時の操作部の操作と表示部に表示される矢印画像との関係を示す図である。
【００４８】
＜１．再生の状態で第１切換キーが１回押下された場合＞
再生の状態（図５（ｇ））で第１切換キー１６ｂが１回押下された場合、制御部１０は、画像データの再生速度を上げる正サーチ処理を開始して、表示部１７に正サーチ処理された画像を表示するとともに、正サーチを示す画像３８の下側に矢印画像４０を表示する（図５（ｈ））。ここで、正サーチ処理とは、例えば、所定割合のフレームを間引きする処理のことであり、例えば、偶数フレームを間引きすることによって、通常の再生速度の２倍の再生速度で画像データを再生することができる。
【００４９】
＜２．正サーチの状態で第１切換キーが１回押下された場合＞
正サーチの状態（図５（ｈ））で第１切換キー１６ｂが１回押下された場合、制御部１０は、画像データの再生速度を最速の状態で行う最速正サーチ処理を開始して、表示部１７に最速正サーチ処理された画像を表示するとともに、最速正サーチを示す画像３９の下側に矢印画像４０を表示する（図５（ｉ））。ここで、最速正サーチ処理とは、例えば、上述した正サーチにおける間引き処理より高い割合でフレームを間引きする処理のことであり、例えば、２０フレーム毎に１９フレームを間引きして、残りの１フレームの画像を再生することによって、通常の再生速度の２０倍の再生速度で画像データを再生することができる。なお、再生の状態で第１切換キー１６ｂが２回押下された場合は、正サーチの状態で第１切換キー１６ｂが１回押下された場合と同様の処理が行われる（以下、同様）。
【００５０】
＜３．再生の状態で第２切換キーが１回押下された場合＞
再生の状態（図５（ｇ））で第２切換キー１６ｃが１回押下された場合、制御部１０は、画像データの再生速度を下げる正スロー処理を開始して、表示部１７に正スロー処理された画像を表示するとともに、正スローを示す画像３６の下側に矢印画像４０を表示する（図５（ｆ））。ここで、正スロー処理とは、例えば、各フレームの画像を複数回表示する処理のことであり、例えば、各フレームの画像を１０回ずつ表示することによって、通常の再生速度の１／１０倍の再生速度で画像データを再生することができる。
【００５１】
＜４．正スローの状態で第２切換キーが１回押下された場合＞
正スローの状態（図５（ｆ））で第２切換キー１６ｃが１回押下された場合、制御部１０は、画像データの再生を一時的に停止して、表示部１７に第２切換キー１６ｃが押下されたときの静止画像を表示するとともに、静止を示す画像３５の下側に矢印画像４０を表示する（図５（ｅ））。ここで、静止とは再生の一時停止のことであり、制御部１０は、例えば一時停止された画像のフレーム番号を記憶しており、このフレーム番号を基準にして次の処理を行う。
【００５２】
＜５．静止の状態で第２切換キーが１回押下された場合＞
静止の状態（図５（ｅ））で第２切換キー１６ｃが１回押下された場合、制御部１０は、画像データを逆方向（通常とは逆の時間方向）に、かつ再生速度を下げる逆スロー処理を開始して、表示部１７に逆スロー処理された画像を表示するとともに、逆スローを示す画像３４の下側に矢印画像４０を表示する（図５（ｄ））。
【００５３】
＜６．逆スローの状態で第２切換キーが１回押下された場合＞
逆スローの状態（図５（ｄ））で第２切換キー１６ｃが１回押下された場合、制御部１０は、画像データを逆方向に再生する逆再生処理を開始して、表示部１７に逆再生処理された画像を表示するとともに、逆再生を示す画像３３の下側に矢印画像４０を表示する（図５（ｃ））。
【００５４】
＜７．逆再生の状態で第２切換キーが１回押下された場合＞
逆再生の状態（図５（ｃ））で第２切換キー１６ｃが１回押下された場合、制御部１０は、画像データの逆再生速度を上げる逆サーチ処理を開始して、表示部１７に逆サーチ処理された画像を表示するとともに、逆サーチを示す画像３２の下側に矢印画像４０を表示する（図５（ｂ））。
【００５５】
＜８．逆サーチの状態で第２切換キーが１回押下された場合＞
逆サーチの状態（図５（ｂ））で第２切換キー１６ｃが１回押下された場合、制御部１０は、画像データの逆再生速度を最速の状態で行う最速逆サーチ処理を開始して、表示部１７に最速逆サーチ処理された画像を表示するとともに、最速逆サーチを示す画像３１の下側に矢印画像４０を表示する（図５（ａ））。このように、第１切換キー１６ｂ及び第２切換キー１６ｃの押下に従って、矢印画像４０の位置を変更することにより、利用者は現在の再生速度を一目で認識することができる。
【００５６】
（実施の形態２）
図６は、本発明の実施の形態２に係るデータ再生装置としてのデジタルカメラの構成を示すブロック図である。
【００５７】
デジタルカメラ２は、ＣＰＵで構成された制御部１０を備えている。制御部１０は、バスを介してＲＯＭ１１、ＲＡＭ１２、撮像部１３、信号処理部１４、記憶部１５、操作部２６、表示部１７及び出力部１８と接続され、これら各部を制御し、ＲＯＭ１１に予め格納されているコンピュータプログラムに従って種々の機能を実行し、各部と連携して又は単独で本発明における各種の手段として機能する。
【００５８】
操作部２６は、デジタルカメラ２を操作するためのファンクションキーとして、画像の撮像、又は記憶部１５に記憶されている画像データの再生のうちのいずれを行うかを指定するモード指定キー２６ａ、モード指定キーにて画像データの再生が指定された場合に、再生速度を制御する本発明に特徴的な切換キー２６ｂを備えている。その他の構成は図１と同様であるので、対応する部分には同一の符号を付してその詳細な説明を省略する。
【００５９】
次に、デジタルカメラ２が行う動作手順を、フローチャートを用いて説明する。図７は、本発明の実施に形態２に係るデータ再生装置としてのデジタルカメラの動作手順を示すフローチャートである。なお、動作手順は一例であり、これに限るものではない。また、このような動作手順は、ＲＯＭ１１へ予めコンピュータプログラムを組み込んでおくことにより行うことができる。
【００６０】
制御部１０は、先ず、操作部２６にて再生対象の画像データの指定を受け付けた場合、再生パラメータ（Ｐ１）を“７”に設定するとともに（ステップＳ２１）、方向パラメータ（Ｐ２）を“１”に設定する（ステップＳ２２）。そして、制御部１０は、ＲＯＭ１１に記憶されている再生速度データベース（図２参照）にアクセスし、設定した再生パラメータに対応する再生速度と矢印座標とを抽出する（ステップＳ２３）。
【００６１】
制御部１０は、Ｓ２３にて抽出した再生速度で画像データを再生する（ステップＳ２４）とともに、Ｓ２３にて抽出した矢印座標に矢印画像４０を表示する（ステップＳ２５）。より具体的には、再生データをデコードした画像３０と矢印画像４０とを合成した合成画像を生成する。
【００６２】
そして、制御部１０は、画像データの再生が終了したか否かを判定して（ステップＳ２６）、画像データの再生が終了したと判定した場合（Ｓ２６：ＹＥＳ）に処理を終了する。一方、Ｓ２６において、画像データの再生が終了していないと判定した場合（Ｓ２６：ＮＯ）、制御部１０は切換キー２６ｂが押下されたか否かを判定する（ステップＳ２７）。Ｓ２７において、切換キー２６ｂが押下されたと判定した場合（Ｓ２７：ＹＥＳ）、制御部１０は、利用者によって画像データの再生速度の変更を受け付けたと認識する。切換キー２６ｂは、再生速度に係る再生パラメータの値を、現在の方向パラメータに応じて１つ増加又は減少するように受け付ける手段であることから、制御部１０は、先ず、方向パラメータが“１”であるか否かを判定する（ステップＳ２８）。
【００６３】
Ｓ２８において、方向パラメータが“１”であると判定した場合（Ｓ２８：ＹＥＳ）、制御部１０は、再生パラメータが最大値であるか否かを判定する（ステップＳ２９）。再生パラメータが最大値でないと判定した場合（Ｓ２９：ＮＯ）、制御部１０は、再生パラメータをインクリメントし（ステップＳ３０）、処理をＳ２３へ移行して再生パラメータに係る再生速度と矢印座標とを抽出して変更する。
【００６４】
一方、Ｓ２９において、再生パラメータが最大値であると判定した場合（Ｓ２９：ＹＥＳ）、再生パラメータをインクリメントすることができないので、制御部１０は、再生パラメータをデクリメントするとともに（ステップＳ３１）、方向パラメータを“０”に設定し（ステップＳ３２）、処理をＳ２３へ移行して再生パラメータに係る再生速度と矢印座標とを抽出して変更する。
【００６５】
つまり、方向パラメータが“１”である場合、再生パラメータが最大値であるときには再生パラメータの値を増加することができないので、再生パラメータをデクリメントする。また、本実施の形態の特徴である切換キーが１つであっても、再生パラメータが最大値である状態で切換キーが押下された場合に方向パラメータを変更することで、１方向ではなく、２方向に再生パラメータを変更することができる。
【００６６】
一方、Ｓ２８において、方向パラメータが“１”でない、すなわち方向パラメータが“０”であると判定した場合（Ｓ２８：ＮＯ）、制御部１０は、再生パラメータが最小値であるか否かを判定する（ステップＳ３３）。再生パラメータが最小値でないと判定した場合（Ｓ３３：ＮＯ）、制御部１０は、再生パラメータをデクリメントし（ステップＳ３４）、処理をＳ２３へ移行して再生パラメータに係る再生速度と矢印座標とを抽出して変更する。
【００６７】
一方、Ｓ３３において、再生パラメータが最小値であると判定した場合（Ｓ３３：ＹＥＳ）、再生パラメータをデクリメントすることができないので、制御部１０は、再生パラメータをインクリメントするとともに（ステップＳ３５）、方向パラメータを“１”に設定し（ステップＳ３６）、処理をＳ２３へ移行して再生パラメータに係る再生速度と矢印座標とを抽出して変更する。
【００６８】
つまり、方向パラメータが“０”である場合、再生パラメータが最小値であるときには再生パラメータを減少することができないので、再生パラメータをインクリメントする。また、本実施の形態の特徴である切換キーが１つであっても、再生パラメータが最小値である状態で切換キーが押下された場合に方向パラメータを変更することで、１方向ではなく、２方向に再生パラメータを変更することができる。
【００６９】
また、Ｓ２７において、切換キー２６ｂが押下されていないと判定した場合（Ｓ２７：ＮＯ）、制御部１０は、利用者によって画像データの再生速度の変更を受け付けていないと認識して処理をＳ２３へ移行する。
【００７０】
このようにして、切換キー２６ｂが押下された際の再生パラメータが最大値でも最小値でもない場合、切換キー２６ｂの押下に従って、画像データの再生速度を変更することができるとともに、再生速度を示す再生速度画像を特定するように、矢印画像４０の矢印座標を変更することによって、画像データの再生状態（再生速度）を利用者に容易に把握させることができる。
【００７１】
なお、各実施の形態では、第１切換キー１６ｂ及び第２切換キー１６ｃ（実施の形態１）、切換キー２６ｂ（実施の形態２）によって矢印画像の移動を受け付けるようにしたが、例えば、通常の再生速度に関連付けた再生速度画像（正再生を示す画像３７）に対応する位置へ矢印画像を移動するためのファンクションキー（割当キー）を操作部に設けてもよい。このようにすれば、矢印画像がいずれの再生速度画像に対応する位置に表示されている場合であっても、割当キーを押下することによって、最も利用頻度が高い通常再生を行うことができる。もちろん、割当キーに割当てられた再生速度は、通常の再生速度に限定されるものではなく、予め利用者によって所定の再生速度を割当てるようにしてもよい。
【００７２】
また、矢印画像４０を対応する再生速度画像を指示する位置に表示するようにしたが、選択されている再生速度画像の色を変更したり、選択されている再生速度画像を他の再生速度画像より大きく表示したりして、再生速度画像の選択状態を利用者が認識できるような形態であればよく、その選択状態の表示形態について限定されるものではない。
【００７３】
また、デジタルカメラに設けられた操作部で利用者からの指示を受け付けるようにしたが、赤外線などを介してデジタルカメラの操作を行うような形態であってもよい。その場合には、リモコンに、第１切換キー１６ｂ及び第２切換キー１６ｃ（実施の形態１）、切換キー２６ｂ（実施の形態２）に相当するファンクションキーを設けるようにすればよく、デジタルカメラから離隔した場所からデジタルカメラに指示を与えることができて極めて有用である。
【００７４】
さらに、オン・スクリーン・ディスプレイ（ＯＳＤ）を表示機器５０に表示してデジタルカメラを操作するようにしてもよいし、表示部１７をタッチパネル方式とすることにより、操作部の各種のファンクションキーのうちの一部又は全部を代用することも可能である。
【００７５】
さらにまた、データ再生装置としてデジタルカメラを一例に説明したが、ＤＶＤプレイヤー及びハードディスクプレイヤーのような画像を再生するデータ再生装置、並びに、ＣＤプレイヤー及びＭＤプレイヤーのような音声を再生するデータ再生装置などに対しても、本発明を適用することができることはいうまでもない。
【図面の簡単な説明】
【００７６】
【図１】本発明の実施の形態１に係るデータ再生装置としてのデジタルカメラの構成を示すブロック図である。
【図２】再生速度データベースを示す図表である。
【図３】表示部に表示される画像を示す模式図である。
【図４】本発明の実施の形態１に係るデータ再生装置としてのデジタルカメラの動作手順を示すフローチャートである。
【図５】再生時の操作部の操作と表示部に表示される矢印画像との関係を示す図である。
【図６】本発明の実施の形態２に係るデータ再生装置としてのデジタルカメラの構成を示すブロック図である。
【図７】本発明の実施の形態２に係るデータ再生装置としてのデジタルカメラの動作手順を示すフローチャートである。
【符号の説明】
【００７７】
１，２  デジタルカメラ
１０  制御部
１１  ＲＯＭ
１２  ＲＡＭ
１３  撮像部
１４  信号処理部
１５  記憶部
１６  操作部
１６ｂ  第１切換キー
１６ｃ  第２切換キー
１７  表示部
１８  出力部
２６  操作部
２６ｂ  切換キー
５０  表示機器
【図１】
2006092325.tif 000003
【図２】
2006092325.tif 000004
【図３】
2006092325.tif 000005
【図４】
2006092325.tif 000006
【図５】
2006092325.tif 000007
【図６】
2006092325.tif 000008
【図７】
2006092325.tif 000009